(57)【要約】【課題】追加コンポーネントなしで、ＦＦＥにより付加されるノイズの影響を低減する。【解決手段】Ｓ１で、タップ係数行列Ｗ、出力信号行列Ｙ及び遅延行列Ｕを用いて伝送前のトレーニング信号と、出力信号とが同様になるようにタップ係数を取得する。Ｓ２で、Ｓ１で取得されたタップ係数を設定して、伝送前のトレーニング信号と、出力信号とを比較して、サブピークを取得する。Ｓ３で、設定されたタップ係数での受信可否を判定する。Ｓ３での判定の結果、受信不可と判定された場合に、出力信号行列Ｙ及び遅延行列Ｕにサブピークに対応する行を挿入する過程（Ｓ４）と、Ｓ４で得られた、タップ係数行列Ｗ、出力信号行列Ｙ及び遅延行列Ｕを用いて、伝送前のトレーニング信号と、出力信号とが同様になるようにタップ係数を取得する過程（Ｓ５）が行われる。Ｓ５の後、再びＳ３が行われる。【選択図】図４
2015186220.tif 000002
【特許請求の範囲】
【請求項１】
受信した光信号をタップ数Ｌに分岐し、互いにビット周期ＴをサンプリングレートＫで除算した時間差となる遅延を加えて、タップ係数ｗｘで与えられる重み付けをした後に加算して出力信号を生成する光信号処理部と、
伝送前のトレーニング信号と、前記出力信号とが同様になるようにタップ係数を取得し、前記光信号処理部に通知する制御部とを備え、
前記制御部は、
タップ係数ｗｘを示すタップ係数行列Ｗ、出力信号を示す出力信号行列Ｙ及び光信号処理部での遅延量を示す遅延行列Ｕを生成する行列生成手段と、
タップ係数行列Ｗ、出力信号行列Ｙ及び遅延行列Ｕを用いて伝送前のトレーニング信号と、前記出力信号とが最も近くなるようにタップ係数を取得する近似計算手段と、
前記出力信号行列Ｙ及び前記遅延行列Ｕにサブピークに対応する行を挿入する行挿入手段と、
伝送前のトレーニング信号と、出力信号とを比較して、前記サブピークを取得するサブピーク取得手段と
当該光信号受信装置での受信可否を判定する受信可否判定手段と
を備えることを特徴とする光信号受信装置。
【請求項２】
タップ係数行列Ｗ、出力信号行列Ｙ及び遅延行列Ｕを用いて伝送前のトレーニング信号と、出力信号とが同様になるようにタップ係数を取得する第1過程と、
前記第1過程で取得されたタップ係数を設定して、伝送前のトレーニング信号と、出力信号とを比較して、サブピークを取得する第２過程と、
設定されたタップ係数での受信可否を判定する第３過程と、
前記第３過程での判定の結果、受信不可と判定された場合に行われる、
前記出力信号行列Ｙ及び前記遅延行列Ｕに前記サブピークに対応する行を挿入する第４過程と、
前記第4過程で得られた、タップ係数行列Ｗ、出力信号行列Ｙ及び遅延行列Ｕを用いて、伝送前のトレーニング信号と、前記出力信号とが同様になるようにタップ係数を取得する第５過程と
を備え、
前記第５過程の後、再び前記第３過程を行う
ことを特徴とする最適化方法。
【発明の詳細な説明】
【技術分野】
【０００１】
この発明は、ＦＦＥ（Ｆｅｅｄ  Ｆｏｒｗａｒｄ  Ｅｑｕａｌｉｚｅｒ）を備える光信号受信装置に関するものであり、特に光アクセスネットワークで用いて好適な光信号受信装置、及び、ＦＦＥの最適化方法に関する。
【背景技術】
【０００２】
ユーザからの多種多様なサービス要求を受ける光アクセスネットワークでは、トラフィック需要が時間及び空間的に偏在しており、今後、高効率なネットワーク制御を行うための新たなネットワークアーキテクチャが求められる。
【０００３】
最適な通信容量の提供、異種サービスの統合などを可能とするネットワークアーキテクチャの一例として、時分割多重（ＴＤＭ：Ｔｉｍｅ  Ｄｉｖｉｓｉｏｎ  Ｍｕｌｔｉｐｌｅｘｉｎｇ）技術をベースとする、従来のＰＯＮ（Ｐａｓｓｉｖｅ  Ｏｐｔｉｃａｌ  Ｎｅｔｗｏｒｋ）技術に、波長分割多重（ＷＤＭ：Ｗａｖｅｌｅｎｇｔｈ  Ｄｉｖｉｓｏｎ  Ｍｕｌｔｉｐｌｅｘｉｎｇ）技術を付加し、ネットワーク上のトラヒック利用状況に応じて波長割当を行うようなＷＤＭ／ＴＤＭ−ＰＯＮの検討が進められている（例えば、非特許文献１参照）。
【０００４】
これにより、トラヒックに応じた局側端末（ＯＬＴ：Ｏｐｔｉｃａｌ  Ｌｉｎｅ  Ｔｅｒｍｉｎａｌ）の駆動制御が可能となり、帯域利用効率の向上によるセンターオフィスの低消費電力化が期待されている。このＷＤＭ／ＴＤＭ−ＰＯＮは、大容量化と多分岐化によりカバーエリアを広域化することを目的としており、そのためには、伝送距離の長延化によるＯＬＴ統合が必要となる。
【０００５】
伝送距離の長延化の技術に関して、波長分散の影響で波形が劣化する問題に対応するため、波長分散補償技術が用いられる。波長分散補償技術として、電気分散補償（ＥＤＣ：Ｅｌｅｃｔｏｒｉｃａｌ  Ｄｉｓｐｅｒｓｉｏｎ  Ｃｏｍｐｅｎｓａｔｉｎｇ）技術がある（例えば、特許文献１参照）。ＥＤＣ技術は、波長分散により歪んだ信号波形を、デジタル信号処理により歪み補正をする技術である。
【０００６】
ＥＤＣ技術の一つに、ＦＦＥがある（例えば、特許文献２参照）。ＦＦＥは、受信した光信号を分岐し、遅延を加えて重み付けをした後に、受信信号を重ね合わせることで波形を補正する技術である。
【先行技術文献】
【特許文献】
【０００７】
【特許文献１】特開２００６−２８７６９５号公報
【特許文献２】特開平９−３２６７２８号公報
【非特許文献】
【０００８】
【非特許文献１】中村浩崇他著「柔軟なサービスアップグレードを実現する波長可変型ＷＤＭ／ＴＤＭ−ＰＯＮ」２０１０年電子情報通信学会ソサイエティ大会  Ｂ−１０−４０
【発明の概要】
【発明が解決しようとする課題】
【０００９】
ＦＦＥに関して、８０ｋｍ伝送のシミュレーションを行った結果を図１に示す。図１は、シミュレーションによる時間波形を示す図である。図１は横軸に時間（単位ｐｓ）を取って示し、縦軸に伝送前の時間波形のピークで規格化した信号強度を取って示している。図１では、伝送前の時間波形をＩで示し、伝送後にＦＦＥを用いない場合（ＦＦＥ無）の時間波形をＩＩで示し、伝送後にＦＦＥを用いた場合（ＦＦＥ有）の時間波形をＩＩＩで示している。
【００１０】
図１に示すように、ＦＦＥ無の時間波形（ＩＩ）は、伝送前の時間波形（Ｉ）に比べて時間幅が広がった波形に劣化している。これに対し、ＦＦＥ有の時間波形（ＩＩＩ）は、伝送前（Ｉ）と同程度の時間幅となっている。
【００１１】
ここで、伝送後のＦＦＥ有での時間波形（ＩＩＩ）では、本来、信号以外の部分はゼロレベルになるはずであるが、隣接部（図中、Ａで示す。）に、サブピークが生じている。このため、このサブピークに起因するノイズ成分が付加されるという問題がある。
【００１２】
図２（Ａ）〜（Ｃ）は、シミュレーションによるアイダイアグラムを示している。図２（Ａ）は、伝送後にＦＦＥを用いない場合（ＦＦＥ無）のアイダイアグラムである。ＦＦＥ無の場合、波長分散により時間幅に広がりを持つ波形となる。この結果、隣のビットが侵入し、アイ開口が上下に分かれているため受信不可となる。
【００１３】
図２（Ｂ）は、伝送後にＦＦＥを用いた場合（ＦＦＥ有）のアイダイアグラムである。ＦＦＥ有の場合、アイ開口が確認できるが、サブピークの影響で、クリアな波形にはならない。このサブピークによるノイズは、ＬＰＦ（Ｌｏｗ  Ｐａｓｓ  Ｆｉｌｔｅｒ）を挿入することで除去できる。
【００１４】
図２（Ｃ）は、伝送後にＦＦＥを用いた場合であって、さらに、１０ＧＨｚのＬＰＦを挿入した場合（ＦＦＥ有−ＬＰＦ有）のアイダイアグラムである。ＬＰＦを挿入することにより、アイ開口が図２（Ｂ）に示すＦＦＥ有―ＬＰＦ無と比べて改善されている。
【００１５】
しかしながら、追加コンポーネントであるＬＰＦが必要となるため、コストアップにつながる。
【００１６】
この発明は、上述の問題点に鑑みてなされたものである。この発明の目的は、ＦＦＥを用いる光信号受信装置であって、追加コンポーネントなしで、ＦＦＥにより付加されるノイズの影響を低減する光信号受信装置、及び、光信号受信装置が備えるＦＦＥの最適化方法を提供することにある。
【課題を解決するための手段】
【００１７】
上述した目的を達成するために、この発明の光信号受信装置は、受信した光信号をタップ数Ｌに分岐し、遅延を加えて、タップ係数ｗｘで与えられる重み付けをした後に加算して出力信号を生成する光信号処理部と、伝送前のトレーニング信号と、出力信号とが同様になるようにタップ係数を取得し、光信号処理部に通知する制御部とを備えて構成される。制御部は、タップ係数ｗｘを示すタップ係数行列Ｗ、出力信号を示す出力信号行列Ｙ及び光信号処理部での遅延を示す遅延行列Ｕを生成する行列生成手段と、タップ係数行列Ｗ、出力信号行列Ｙ及び遅延行列Ｕを用いて伝送前のトレーニング信号と、出力信号とが最も近くなるようにタップ係数を取得する近似計算手段と、出力信号行列Ｙ及び遅延行列Ｕにサブピークに対応する行を挿入する行挿入手段と、伝送前のトレーニング信号と、出力信号とを比較して、サブピークを取得するサブピーク取得手段と、当該光信号受信装置での受信可否を判定する受信可否判定手段とを備える。
【００１８】
また、この発明の最適化方法によれば、以下の過程を備えて構成される。
【００１９】
先ず、第１過程において、タップ係数行列Ｗ、出力信号行列Ｙ及び遅延行列Ｕを用いて伝送前のトレーニング信号と、出力信号とが同様になるようにタップ係数を取得する。次に、第２過程において、第1過程で取得されたタップ係数を設定して、伝送前のトレーニング信号と、出力信号とを比較して、サブピークを取得する。次に、第３過程において、設定されたタップ係数での受信可否を判定する。第３過程での判定の結果、受信不可と判定された場合には、以下の第４過程と第５過程が行われる。
【００２０】
第４過程では、出力信号行列Ｙ及び遅延行列Ｕにサブピークに対応する行を挿入する。第５過程では、第4過程で得られた、タップ係数行列Ｗ、出力信号行列Ｙ及び遅延行列Ｕを用いて、伝送前のトレーニング信号と、前記出力信号とが同様になるようにタップ係数を取得する。この第５過程の後、再び第３過程が行われる。
【発明の効果】
【００２１】
この発明の光信号受信装置及びＦＦＥの最適化方法によれば、単純にＦＦＥを用いた場合に生じるサブピークの影響を、行列演算の際にサブピークに対応する行を挿入している。これにより、近似計算におけるサブピークの寄与度が大きくなるので、サブピークの影響が追加のコンポーネントなしに容易に低減できる。
【図面の簡単な説明】
【００２２】
【図１】シミュレーションによる時間波形を示す図である。
【図２】シミュレーションによるアイダイアグラムを示している。
【図３】この実施形態の光信号受信装置の模式図である。
【図４】最適化方法の処理フローを示す図である。
【図５】ＰＲＢＳを用いて得られたアイダイアグラムを示す図である。
【発明を実施するための形態】
【００２３】
以下、図を参照して、この発明の実施の形態について説明するが、各構成要素の形状、大きさ及び配置関係については、この発明が理解できる程度に概略的に示したものに過ぎない。また、以下、この発明の好適な構成例につき説明するが、数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。
【００２４】
図３を参照して、この発明の光信号受信装置の実施形態について説明する。図３は、この実施形態の光信号受信装置の模式図である。この実施形態の光信号受信装置は、光信号処理部１００と、制御部２００と備えて構成される。
【００２５】
光信号処理部１００は、受信した光信号を分岐し、遅延を加えて重み付けをした後に、受信信号を重ね合わせる処理を行う。光信号処理部１００は、タップ数をＬとしたとき、Ｌ個の重み付け回路１２０−１〜Ｌと、Ｌ−１個の遅延回路１１０−１〜（Ｌ−１）を備えて構成される。ここで、タップ数Ｌは、光信号の分岐数に相当する。
【００２６】
入力信号ｕ（ｔ）は２分岐され、一方は、第１の重み付け回路１２０−１に送られ、他方は、第１の遅延回路１１０−１に送られる。第１の遅延回路１１０−１で遅延を受けた第１の遅延信号は２分岐され、一方は第２の重み付け回路１２０−２に送られ、他方は、第２の遅延回路１１０−２に送られる。同様に、第ｍ−１の遅延回路１１０−（ｍ−１）で遅延を受けた第ｍ−１の遅延信号は２分岐され、一方は第ｍの重み付け回路１２０−ｍに送られ、他方は第ｍの遅延回路１１０−ｍに送られる。第Ｌ−１の遅延回路１１０−（Ｌ−１）で遅延を受けた第Ｌ−１の遅延信号は、第Ｌの重み付け回路１２０−Ｌに送られる。ここで、各遅延回路１１０では、ビット周期ＴとサンプリングレートＫに対して、Ｔ／Ｋの遅延が与えられる。また、各重み付け回路１２０ではタップ係数ｗｘ（ｘは１以上Ｌ以下の整数）の重み付けが与えられる。各重み付け回路１２０で重み付けが与えられた信号は、加算回路１３０で加算され、出力信号ｙ（ｔ）として出力される。なお、以下の説明では出力信号をＦＦＥ信号とも称する。
【００２７】
この出力信号ｙ（ｔ）は、制御部２００にも送られる。また、制御部２００で生成されたタップ係数設定信号が光信号処理部１００に送られる。光信号処理部１００は、各重み付け回路１２０のタップ係数ｗｘを、タップ係数設定信号で指示された値に設定する。以上説明した光信号処理部１００は、従来公知の任意好適なＦＦＥと同様に構成することができる。
【００２８】
制御部２００は、タップ係数取得手段２１０、サブピーク取得手段２２０、タップ係数設定手段２３０及び受信可否判定手段２４０を備えて構成される。タップ係数取得手段２１０は、行列生成手段２１２、行挿入手段２１４及び近似計算手段２１６を備えている。制御部２００は、例えばプログラマブルチップを用いて構成することができる。制御部２００がプログラムを実行することにより、各機能手段が実現される。また、制御部２００は、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）などの記憶手段２５０を備えている。この記憶手段２５０には、制御部２００の各機能手段の処理結果や、光信号処理部１００からの出力信号などが読出し及び書換自在に格納されている。また、記憶手段２５０には、基準信号となる予め定められたパターンのトレーニング信号が、読み出し自在に格納されている。各機能手段の動作の詳細については後述する。
【００２９】
次に、図３及び４を参照して、光信号受信装置が備えるＦＦＥ、すなわち重み付け回路のタップ係数ｗｘの最適化方法について説明する。図４は最適化方法の処理フローを示す図である。
【００３０】
先ず、第１過程（Ｓ１）において、出力信号ｙ（ｔ）が既知のトレーニング信号と同様になるタップ係数ｗｘを取得する。光信号受信装置が伝送路を経て受信したトレーニング信号が、光信号処理部１００への入力信号ｕ（ｔ）となる。入力信号ｕ（ｔ）は、伝送前のトレーニング信号に対して、伝送により劣化している。光信号処理部１００、すなわち、ＦＦＥでの処理の結果得られる、出力信号ｙ（ｔ）は、以下の式（１）で示される。
【００３１】
【数１】
2015186220.tif 000003
【００３２】
入力信号ｕ（ｔ）は、伝送により劣化しているが、出力信号ｙ（ｔ）が、伝送前のトレーニング信号である基準信号ｓ（ｔ）と一致するようにタップ係数を定めることにより、劣化の影響を低減することができる。ここで、ｔを１以上２Ｌ−１以下の整数として考える。この場合、式（１）は、２Ｌ−１行１列の出力信号行列Ｙ、２Ｌ−１行Ｌ列の遅延行列Ｕ、及び、Ｌ行１列のタップ係数行列Ｗを用いて、Ｙ＝Ｕ・Ｗと表される。ここで、出力信号を示す出力信号行列Ｙのｋ、１成分Ｙｋ、１は、ｙ（ｋ）である。また、遅延回路１１０での遅延の程度を示す遅延行列Ｕのｋ、ｘ成分Ｕｋ、ｘは、ｕ（−ｘ＋ｔ＋１）×Ｔ／Ｋである。また、タップ係数を示すタップ係数行列Ｗのｘ、１成分Ｗｘ，１は、ｗｘである。
【００３３】
行列生成手段２１２は、これら行列Ｙ，Ｕ及びＷを生成する。
【００３４】
一例としてタップ数Ｌが３の場合について説明する。この場合、出力信号行列Ｙは、５行１列となり、ｙ（１）〜ｙ（５）は、以下の式（２）〜（６）で示される。
【００３５】
【数２】
2015186220.tif 000004
【００３６】
【数３】
2015186220.tif 000005
【００３７】
【数４】
2015186220.tif 000006
【００３８】
【数５】
2015186220.tif 000007
【００３９】
【数６】
2015186220.tif 000008
【００４０】
ここで、タップ数Ｌが３であるため、入力信号については、ｕ（Ｔ／Ｋ）、ｕ（２Ｔ／Ｋ）及びｕ（３Ｔ／Ｋ）のみ考慮し、ｕ（−Ｔ／Ｋ）、ｕ（０）、ｕ（４Ｔ／Ｋ）及びｕ（５Ｔ／Ｋ）はいずれも０として考える。
【００４１】
この結果、上記の式（２）〜（６）は、以下の行列方程式（７）で示される。
【００４２】
【数７】
2015186220.tif 000009
【００４３】
タップ係数ｗ１、ｗ２及びｗ３は、この行列方程式（７）の解となる。すなわち、タップ係数ｗ１、ｗ２及びｗ３は、以下の行列方程式（８）で与えられる。
【００４４】
【数８】
2015186220.tif 000010
【００４５】
そこで、近似計算手段２１６が、これらの解を最小二乗法により求める。
【００４６】
近似計算手段２１６において、タップ係数ｗｘが求められた後、タップ係数設定手段２３０が、タップ係数設定信号を生成して、光信号処理部１００に送る。光信号処理部１００では、タップ係数設定信号で指示されたタップ係数ｗｘを各重み付け回路１２０に設定する。
【００４７】
次に、第２過程（Ｓ２）において、サブピーク取得手段２２０が、基準信号と出力信号との比較、すなわち、トレーニング信号の伝送前と、伝送後にＦＦＥを用いた場合との比較により、サブピークを取得する。
【００４８】
次に、第３過程（Ｓ３）において、受信可否判定手段２４０が、受信可否判定を行う。受信可否判定は、例えば、擬似ランダム・ビット・シーケンス（ＰＲＢＳ：Ｐｓｅｕｄｏ−ｒａｎｄｏｍ  Ｂｉｔ  Ｓｅｑｕｅｎｃｅ）を用いて行うことができる。
【００４９】
図５（Ａ）〜（Ｈ）は、ＰＲＢＳを用いて得られたアイダイアグラムを示す図である。
【００５０】
受信可否判定手段２４０は、このアイダイアグラムから、アイ開口率を示すＱ値を取得する。このＱ値は、例えば、Ｈレベル信号とＬレベル信号の信号強度の平均値ＳＨ及びＳＬと、これらの標準偏差σＨ及びσＬを用いて、Ｑ＝（ＳＨ−ＳＬ）／（σＨ＋σＬ）で与えられる。
【００５１】
受信可否判定手段２４０は、このＱ値を、予め記憶手段２５０に格納されている閾値と比較する。Ｑ値が閾値より大きい場合に、受信可否判定手段２４０は、受信可能と判断し、閾値より小さい場合に、受信不可と判断する。受信不可の場合は、サブピークの影響が考えられる。そこで、この場合、Ｓ４０において、行挿入手段２１４が、サブピークに対応する行を行列方程式に挿入した後、再びタップ係数を取得する。例えば、ピークとなるｙ（３）に対して、ｙ（１）にサブピークが存在する場合は、ｙ（１）に対応する行を追加し、新たな行列方程式（９）を得る。
【００５２】
【数９】
2015186220.tif 000011
【００５３】
これは、サブピークが生じている行の最小二乗法における重み付けを大きくすることで、サブピークの影響を除去することに対応する。
【００５４】
その後、第５過程（Ｓ５）において、近似計算手段２１６が、行が追加された行列方程式に対して第１過程と同様の近似計算を行い、タップ係数ｗｘを取得する。
【００５５】
タップ係数を取得した後、Ｓ５で得られた新たなタップ係数を用いてＳ３の受信可否判定を行う。この結果、図５に示すアイダイアグラムが得られる。受信可能となるまで、このＳ３〜Ｓ５の過程が繰り返される。図５（Ａ）〜（Ｈ）は、この繰り返しの中で得られたアイダイアグラムである。図５（Ａ）は、行の挿入がないときのアイダイアグラムである。図５（Ｂ）〜（Ｈ）は、それぞれサブピークが生じる行を１、３、５、７、９、１１及び１５行挿入し、サブピークが生じる行ｓを２、４、６、８、１０、１２及び１６行としたときのアイダイアグラムである。
【００５６】
Ｓ５の受信可否判定の結果、受信可能となった場合には、Ｓ６において、受信可能となるタップ係数を設定して、処理を終了する。この場合、例えば閾値を１２．５［ｄＢ］とした場合、ｓ＝８でＱ＝１２．９［ｄＢ］となるので、ｓ＝８の時に得られたタップ係数が採用される。
【００５７】
なお、ここでは、ＰＲＢＳを用いたＱ値により受信可能となった時点で、処理を終了する例を説明したが、これに限定されない。
【００５８】
Ｓ１やＳ５で得られたタップ係数の値とＱ値とを対応付けて、記憶手段に保存しておき、Ｑ値が最大となるタップ係数に設定するなどしても良い。この場合、ｓ＝１０でＱ＝１３．０２［ｄＢ］であるので、ｓ＝１２でＱ＝１２．９８［ｄＢ］となった場合に、ｓ＝１０の時に得られたタップ係数が採用される。また、後段の信号処理部等で受信可否を判定してもよい。
【符号の説明】
【００５９】
１００    光信号処理部
１１０    遅延回路
１２０    重み付け回路
１３０    加算回路    
２００    制御部    
２１０    タップ係数取得手段    
２１２    行列生成手段
２１４    行挿入手段
２１６    近似計算手段    
２２０    サブピーク取得手段
２３０    タップ係数設定手段
２４０    受信可否判定手段
２５０    記憶手段     
【図１】
2015186220.tif 000012
【図２】
2015186220.tif 000013
【図３】
2015186220.tif 000014
【図４】
2015186220.tif 000015
【図５】
2015186220.tif 000016
【手続補正書】
【提出日】平成27年1月21日(2015.1.21)
【手続補正１】
【補正対象書類名】特許請求の範囲
【補正対象項目名】全文
【補正方法】変更
【補正の内容】
【特許請求の範囲】
【請求項１】
受信した光信号をタップ数Ｌに分岐し、互いにビット周期ＴをサンプリングレートＫで除算した時間差となる遅延を加えて、タップ係数ｗｘで与えられる重み付けをした後に加算して出力信号を生成する光信号処理部と、
タップ係数を取得し、前記光信号処理部に通知する制御部とを備える光信号受信装置であって、
前記制御部は、
タップ係数ｗｘを示すタップ係数行列Ｗ、出力信号を示す出力信号行列Ｙ及び光信号処理部での遅延量を示す遅延行列Ｕを生成する行列生成手段と、
出力信号を伝送前のトレーニング信号と一致させて、行列方程式Ｙ＝Ｕ・Ｗに対する近似計算を行うことによりタップ係数を取得する近似計算手段と、
前記出力信号行列Ｙ及び前記遅延行列Ｕにサブピークに対応する行を挿入する行挿入手段と、
前記伝送前のトレーニング信号と、出力信号とを比較して、前記サブピークを取得するサブピーク取得手段と
当該光信号受信装置での受信可否を判定する受信可否判定手段と
を備え、
前記受信可否判定手段での判定の結果、受信不可の場合は、前記行挿入手段が、前記出力信号行列Ｙ及び前記遅延行列Ｕにサブピークに対応する行を挿入した後、前記近似計算手段が、タップ係数を取得し、前記光信号処理部においてタップ係数を設定する過程を、受信可能になるまで繰り返すことを特徴とする光信号受信装置。
【請求項２】
タップ係数行列Ｗ、出力信号行列Ｙ及び遅延行列Ｕを用いて、出力信号を伝送前のトレーニング信号と一致させて、行列方程式Ｙ＝Ｕ・Ｗに対する近似計算を行うことによりタップ係数を取得する第1過程と、
前記第1過程で取得されたタップ係数を設定して、伝送前のトレーニング信号と、出力信号とを比較して、サブピークを取得する第２過程と、
設定されたタップ係数での受信可否を判定する第３過程と、
前記第３過程での判定の結果、受信不可と判定された場合に行われる、
前記出力信号行列Ｙ及び前記遅延行列Ｕに前記サブピークに対応する行を挿入する第４過程と、
前記第４過程で得られた、タップ係数行列Ｗ、出力信号行列Ｙ及び遅延行列Ｕを用いて、出力信号を前記伝送前のトレーニング信号と一致させて、行列方程式Ｙ＝Ｕ・Ｗに対する近似計算を行うことによりタップ係数を取得する第５過程と
を備え、
前記第５過程の後、再び前記第３過程を行い、
前記第３過程での判定の結果、受信可能と判定されるまで前記第３、第４及び第５過程を繰り返す
ことを特徴とする最適化方法。
【手続補正２】
【補正対象書類名】明細書
【補正対象項目名】００１７
【補正方法】変更
【補正の内容】
【００１７】
上述した目的を達成するために、この発明の光信号受信装置は、受信した光信号をタップ数Ｌに分岐し、遅延を加えて、タップ係数ｗｘで与えられる重み付けをした後に加算して出力信号を生成する光信号処理部と、タップ係数を取得し、光信号処理部に通知する制御部とを備えて構成される。制御部は、タップ係数ｗｘを示すタップ係数行列Ｗ、出力信号を示す出力信号行列Ｙ及び光信号処理部での遅延を示す遅延行列Ｕを生成する行列生成手段と、出力信号を伝送前のトレーニング信号と一致させて、行列方程式Ｙ＝Ｕ・Ｗに対する近似計算を行うことによりタップ係数を取得する近似計算手段と、出力信号行列Ｙ及び遅延行列Ｕにサブピークに対応する行を挿入する行挿入手段と、伝送前のトレーニング信号と、出力信号とを比較して、サブピークを取得するサブピーク取得手段と、当該光信号受信装置での受信可否を判定する受信可否判定手段とを備える。そして、受信可否判定手段での判定の結果、受信不可の場合は、行挿入手段が、出力信号行列Ｙ及び遅延行列Ｕにサブピークに対応する行を挿入した後、近似計算手段が、タップ係数を取得し、光信号処理部においてタップ係数を設定する過程を、受信可能になるまで繰り返す。
【手続補正３】
【補正対象書類名】明細書
【補正対象項目名】００１９
【補正方法】変更
【補正の内容】
【００１９】
先ず、第１過程において、タップ係数行列Ｗ、出力信号行列Ｙ及び遅延行列Ｕを用いて、出力信号を伝送前のトレーニング信号と一致させて、行列方程式Ｙ＝Ｕ・Ｗに対する近似計算を行うことによりタップ係数を取得する。次に、第２過程において、第1過程で取得されたタップ係数を設定して、伝送前のトレーニング信号と、出力信号とを比較して、サブピークを取得する。次に、第３過程において、設定されたタップ係数での受信可否を判定する。第３過程での判定の結果、受信不可と判定された場合には、以下の第４過程と第５過程が行われる。
【手続補正４】
【補正対象書類名】明細書
【補正対象項目名】００２０
【補正方法】変更
【補正の内容】
【００２０】
第４過程では、出力信号行列Ｙ及び遅延行列Ｕにサブピークに対応する行を挿入する。第５過程では、第４過程で得られた、タップ係数行列Ｗ、出力信号行列Ｙ及び遅延行列Ｕを用いて、出力信号を伝送前のトレーニング信号と一致させて、行列方程式Ｙ＝Ｕ・Ｗに対する近似計算を行うことによりタップ係数を取得する。この第５過程の後、再び第３過程が行われ、第３過程で判定の結果、受信可能と判定されるまで第３、第４及び第５過程を繰り返す。